(57)【要約】【課題】  使用者が自身に貼付する際に、皺が生じることなく湿布剤を貼付することができ、また縦方向及び横方向のいずれも容易に貼付することができる方法、並びに当該方法の実施に適用させた湿布剤及び当該方法の実施に用いる貼付具を提供する。【解決手段】  シート部２の一面には湿布薬をその略全面に塗布して薬層部３が形成してあり、薬層部３の表面はその全面を合成樹脂製のフィルム４で被覆してある。フィルム４の一短辺の縁部には、当該フィルム４を後述する支持部材に貼着させるための帯状の貼着部５が当該縁部の略全領域に亘って設けてあり、貼着部５の表面はその全面を、意図しない貼着を防止するための防止フィルム６で覆ってある。【選択図】  図１
2018161445.tif 000002
【特許請求の範囲】
【請求項１】
シート部の一面に薬層部を設け、この薬層部上をフィルムで被覆して構成された湿布剤を使用者の背中に貼付する方法であって、
前記シート部の一縁部分上のフィルムを適当な支持強度を有する平板状の支持部材に固定させ、
当該シート部の一縁部分又は当該一縁部分以外の部分を折り返して、シート部の一縁部分の薬層部を露出させ、
その状態で、支持部材にて支持された湿布剤を使用者の背中の適宜位置に配置し、
薬層部の露出された部分を使用者の背中に貼付させ、
その後に、支持部材を引き抜くことによって、全フィルムを薬層部上から剥離しつつ、薬層部の残りの部分を使用者の背中に貼付させる
ことを特徴とする湿布剤の貼付方法。
【請求項２】
前記シート部の一縁部分上のフィルムを前記支持部材の一面の一縁部分に固定させ、前記シート部の一縁部分以外の部分を前記支持部材の他面側へ折り返して、当該シート部の一縁部分の薬層部を露出させ、薬層部の露出された部分を使用者の背中に貼付させた後、支持部材をシート部の他縁側へ引き抜く請求項１記載の湿布剤の貼付方法。
【請求項３】
支持部材にて支持された湿布剤を、使用者の背中と適宜の固定面との間に挟持して、湿布剤のシート部に押圧を印加する請求項１又は２記載の湿布剤の貼付方法。
【請求項４】
シート部の一面に薬層部を設け、この薬層部上をフィルムで被覆して構成された湿布剤において、
前記シート部の一縁部分上のフィルムであって前記フィルムの前記薬層部とは反対側の表面に貼着部が配設してあることを特徴とする湿布剤。
【請求項５】
前記貼着部は、貼着部を貼着させたときに、当該湿布剤を支持し得る面積になしてある請求項４記載の湿布剤。
【請求項６】
シート部の一面に薬層部を設け、この薬層部上をフィルムで被覆して構成された湿布剤を使用者の背中に貼付するための貼付具において、
前記湿布剤を前記フィルムの一縁部分を固定した状態で支持する支持部材と、
湿布剤を支持した支持部材を保持する本体に把持部を設けてなり、湿布剤を支持した支持部材を使用者の背中へ配置するための補助部材と
を備えることを特徴とする貼付具。
【請求項７】
前記支持部材は、シート状の基体と、該基体の一側縁に連結した紐部材とを具備し、
前記基体の他側縁には、シート部材を２重にしてなり前記フィルムを挟持する挟持部が設けてあり、該挟持部には前記フィルムを貫通して固定する１又は複数の固定部が設けてある
請求項６記載の貼付具。
【請求項８】
前記本体は、前記支持部材を載置する平面状の表層と、該表層上に載置された支持部材を挟持する一対の枠部材とを具備し、
前記表層は弾性材を成形してなる弾性層に担持されており、該弾性層はその内部に配設した芯部によって支持されており、該芯部から前記把持部が延設してある
請求項６又は７に記載の貼付具。
【発明の詳細な説明】
【技術分野】
【０００１】
本発明は、冷湿布又は温湿布等、湿布剤を使用者が自身に貼付するための方法、並びに、当該方法の実施に適用させた湿布剤及び当該方法の実施に用いる貼付具に関する。
【背景技術】
【０００２】
例えば単身者が、冷湿布又は温湿布等、シート状の湿布剤を自身の背中に貼付する場合、自身一人では非常に困難であるため、自身の背中に湿布剤を貼付する際に用いる貼付具が提案されている。
【０００３】
図１４は後述する特許文献１に開示された貼付具の斜視図であり、湿布剤を取り付けた状態を示している。貼付具１３０は、適宜長さの２本の支持棒１３８，１３８を所定距離を隔てて互いに平行に配置してなり、両支持棒１３８，１３８の一端近傍の位置から他端に亘る領域には、可撓性を有する材料で構成してなり、湿布剤１５０を支持する横長長方形状のシート部１３１が、両支持棒１３８，１３８の間に掛け渡す様態で取り付けてある。一方、両支持棒１３８，１３８の一端部は使用者が把持する部分になっている。
【０００４】
前述したシート部１３１には、テープ状又は紐状をなした複数の押さえテープ１３２，１３２，…が、両支持棒１３８，１３８の間に亘って、両支持棒１３８，１３８の長手方向へ互いに距離を隔てて取り付けてあり、適宜の２つの押さえテープ１３２，１３２によってシート部１３１上に載置された湿布剤１５０の長辺部分が押さえられている。なお、押さえテープ１３２，１３２，…は湿布剤１５０が貼着し難い材料で形成してある。
【０００５】
このような貼付具１３０にあっては、湿布薬上のビニールシートを全て除去した湿布剤１５０を、図１４に示したように、シート部１３１上の適宜位置に横長状に載置し、当該湿布剤１５０の長辺部分をその近傍に位置する押さえテープ１３２，１３２によって押さえることによって、シート部１３１上に湿布剤１５０を固定する。使用者は、両支持棒１３８，１３８の一端部を把持して、湿布剤１５０が表側になるようにシート部１３１を円柱状に変形させ、その状態で自身の背中の所要位置へ貼付具１３０を配置させる。次に、使用者は、両支持棒１３８，１３８を操作してシート部１３１を自身の背中に押し付けることによって湿布剤１５０の中央部分を自身の背中に貼付させ、その状態で両支持棒１３８，１３８を横方向へ離隔させてシート部１３１及び当該シート部１３１に固定された湿布剤１５０を展開し、これによって湿布剤１５０の全面を自身の背中に貼付させる。そして、使用者は支持棒１３８，１３８を操作して、押さえテープ１３２，１３２を湿布剤１５０から取り外した後、貼付具１３０を回収する。これによって、使用者は一人で自身の背中に湿布剤を貼付することができる。
【先行技術文献】
【特許文献】
【０００６】
【特許文献１】特開２０１６−４３２３４号公報
【発明の概要】
【発明が解決しようとする課題】
【０００７】
しかしながら、このような貼付具にあっては、湿布薬上のビニールシートを全て除去した湿布剤１５０をシート部１３１上に載置し、更に当該湿布剤１５０の長辺部分をその近傍に位置する押さえテープ１３２，１３２によって押さえなければならないため、例えば使用者の指が湿布剤１５０の湿布薬に接触した場合、湿布剤１５０に皺が生じてしまうという問題があった。また、両支持棒１３８，１３８を横方向へ離隔させてシート部１３１及び当該シート部１３１に固定された湿布剤１５０を展開する構成であるため、湿布剤１５０を使用者の背中の縦方向へ貼付することが困難である。
【０００８】
本発明は斯かる事情に鑑みてなされたものであって、使用者が自身に貼付する際に、皺が生じることなく湿布剤を貼付することができ、また縦方向及び横方向のいずれも容易に貼付することができる方法、並びに当該方法の実施に適用させた湿布剤及び当該方法の実施に用いる貼付具を提供する。
【課題を解決するための手段】
【０００９】
（１）本発明に係る湿布剤の貼付方法は、シート部の一面に薬層部を設け、この薬層部上をフィルムで被覆して構成された湿布剤を使用者の背中に貼付する方法であって、前記シート部の一縁部分上のフィルムを適当な支持強度を有する平板状の支持部材に固定させ、当該シート部の一縁部分又は当該一縁部分以外の部分を折り返して、シート部の一縁部分の薬層部を露出させ、その状態で、支持部材にて支持された湿布剤を使用者の背中の適宜位置に配置し、薬層部の露出された部分を使用者の背中に貼付させ、その後に、支持部材を引き抜くことによって、全フィルムを薬層部上から剥離しつつ、薬層部の残りの部分を使用者の背中に貼付させることを特徴とする。
【００１０】
本発明の湿布剤の貼付方法にあっては、シート部の一面に薬層部を設け、この薬層部上をフィルムで被覆して構成された湿布剤を使用者の背中に貼付する場合、シート部の一縁部分上のフィルムを、適当な支持強度を有する平板状の支持部材に固定させる。ここで、支持部材としては、厚紙、板材、織布又は不織布等のシート等を適用することができる。シートの支持部材を用いた場合は当該支持部材を保持する補助部材を更に用いることができる。また、シート部の一縁部分上のフィルムを支持部材に固定させるには、フィルムを支持部材に貼着させてもよいし、支持部材によってフィルムを貫通固定してもよい。
【００１１】
次に、シート部の一縁部分又は当該一縁部分以外の部分を折り返して、シート部の一縁部分の薬層部を露出させる。このとき、フィルムの前記シート部の一縁部分の薬層部を被覆する部分は剥離してある。その状態で、支持部材にて支持された湿布剤を使用者の背中の適宜位置に配置し、薬層部の露出された部分を使用者の背中に貼付させる。このようにして、湿布剤の薬層部が露出された部分が使用者の背中に貼付されてそこに固定されており、その後に、支持部材を引き抜いた場合であっても、フィルムのみが支持部材とともに引き抜かれ、シート部は使用者の背中に残る。そこで、支持部材を引き抜くことによって、全フィルムを薬層部上から剥離しつつ、薬層部の残りの部分を使用者の背中に貼付させる。
【００１２】
このように、湿布剤を構成するシート部の一縁部分を使用者の背中に貼付し、そこを起点としてフィルムを薬層部上から剥離しつつ、薬層部の残りの部分を使用者の背中に貼付させるため、使用者が自身に貼付する場合であっても、皺が生じることなく湿布剤を貼付することができ、また縦方向及び横方向のいずれも容易に貼付することができる。
【００１３】
（２）本発明に係る湿布剤の貼付方法は、前記シート部の一縁部分上のフィルムを前記支持部材の一面の一縁部分に固定させ、前記シート部の一縁部分以外の部分を前記支持部材の他面側へ折り返して、当該シート部の一縁部分の薬層部を露出させ、薬層部の露出された部分を使用者の背中に貼付させた後、支持部材をシート部の他縁側へ引き抜くことを特徴とする。
【００１４】
本発明の湿布剤の貼付方法にあっては、シート部の一縁部分上のフィルムを支持部材の一面の一縁部分に固定させ、シート部の一縁部分以外の部分を支持部材の他面側へ折り返して、シート部の一縁部分の薬層部を露出させる。これによって、湿布剤を構成するシート部の一縁部分以外の部分が支持部材によって支持されるとともに、シート部の一縁部分が支持部材の一縁部分から突出した状態になり、その状態でシート部の一縁部分にあっては薬層部が露出されている。このとき、シート部の大部分は支持部材によって支持されているため、シート部の一縁部分が支持部材の一縁部分から突出した状態であっても、この部分に皺が生じることが回避される。
【００１５】
そして、シート部の一縁部分であって、薬層部の露出された部分を使用者の背中に貼付させた後、支持部材をシート部の他縁側へ引き抜く。これによって、前同様、使用者が自身に貼付する場合であっても、皺が生じることなく湿布剤を貼付することができ、また縦方向及び横方向のいずれも容易に貼付することができる。
【００１６】
（３）本発明に係る湿布剤の貼付方法は、支持部材にて支持された湿布剤を、使用者の背中と適宜の固定面との間に挟持して、湿布剤のシート部に押圧を印加することを特徴とする。
【００１７】
本発明の湿布剤の貼付方法にあっては、支持部材にて支持された湿布剤を、使用者の背中と適宜の固定面との間に挟持して、湿布剤のシート部に押圧を印加する。これによって、使用者が自身に貼付する場合であっても、湿布剤をしっかり貼付することができる。
【００１８】
（４）本発明に係る湿布剤は、シート部の一面に薬層部を設け、この薬層部上をフィルムで被覆して構成された湿布剤において、前記シート部の一縁部分上のフィルムであって前記フィルムの前記薬層部とは反対側の表面に貼着部が配設してあることを特徴とする。
【００１９】
本発明の湿布剤にあっては、シート部の一面に薬層部を設け、この薬層部上をフィルムで被覆して構成してあり、前記シート部の一縁部分上のフィルムであって前記フィルムの前記薬層部とは反対側の表面に貼着部が配設してある。ここで、貼着部は両面テープを用いて構成してもよいし、フィルム上に粘着層を直接設けて構成してもよい。
【００２０】
このような湿布剤にあっては、前記フィルムの貼着部を適当な支持強度を有する平板状の支持部材に貼着させ、シート部の一縁部分の薬層部をフィルムから剥離する一方、当該シート部の一縁部分又は当該一縁部分以外の部分を折り返して、当該一縁部分の薬層部を露出させる。その状態で、支持部材にて支持された湿布剤を使用者の背中の適宜位置に配置し、薬層部の露出された部分を使用者の背中に貼付させ、その後に、支持部材を引き抜くことによって、全フィルムを薬層部上から剥離しつつ、薬層部の残りの部分を使用者の背中に貼付させる。これによって、使用者が自身に貼付する場合であっても、皺が生じることなく湿布剤を貼付することができ、また縦方向及び横方向のいずれも容易に貼付することができる。
【００２１】
（５）本発明に係る湿布剤は、前記貼着部は、貼着部を貼着させたときに、当該湿布剤を支持し得る面積になしてあることを特徴とする。
【００２２】
本発明の湿布剤にあっては、前述した貼着部は、貼着部を支持部材に貼着させたときに、当該湿布剤を支持し得る面積になしてあり、これによって、支持部材に支持された湿布剤に皺等が発生することが防止される。
【００２３】
（６）本発明に係る貼付具は、シート部の一面に薬層部を設け、この薬層部上をフィルムで被覆して構成された湿布剤を使用者の背中に貼付するための貼付具において、前記湿布剤を前記フィルムの一縁部分を固定した状態で支持する支持部材と、湿布剤を支持した支持部材を保持する本体に把持部を設けてなり、湿布剤を支持した支持部材を使用者の背中へ配置するための補助部材とを備えることを特徴とする。
【００２４】
本発明の貼付具にあっては、シート部の一面に薬層部を設け、この薬層部上をフィルムで被覆して構成された湿布剤を使用者の背中に貼付する場合、湿布剤を前記フィルムの一縁部分を固定した状態で支持する支持部材を備えており、湿布剤のシート部の一縁部分の薬層部をフィルムから剥離し、フィルムの薬層部が剥離された部分を支持部材にて固定させ、このシート部の一縁部分以外の部分を折り返して、シート部を支持部材に当接させる一方、当該一縁部分の薬層部を露出させる。
【００２５】
また、貼付具は、湿布剤を支持した支持部材を保持する本体に把持部を設けてなる補助部材も備えており、一縁部分の薬層部を露出させ、その状態で、湿布剤及び支持部材を補助部材に保持させる。かかる補助部材を用いて、支持部材にて支持された湿布剤を使用者の背中の適宜位置に配置し、薬層部の露出された部分を使用者の背中に貼付させ、その後に、支持部材をシート部の他縁側へ引き抜くことによって、全フィルムを薬層部上から剥離しつつ、薬層部の残りの部分を使用者の背中に貼付させる。これによって、使用者が自身に貼付する場合であっても、皺が生じることなく湿布剤を貼付することができ、また縦方向及び横方向のいずれも容易に貼付することができる。
【００２６】
（７）本発明に係る貼付具は、前記支持部材は、シート状の基体と、該基体の一側縁に連結した紐部材とを具備し、前記基体の他側縁には、シート部材を２重にしてなり前記フィルムを挟持する挟持部が設けてあり、該挟持部には前記フィルムを貫通して固定する１又は複数の固定部が設けてあることを特徴とする。
【００２７】
本発明の貼付具にあっては、前述した支持部材は、シート状の基体と、該基体の一側縁に連結した紐部材とを具備する。前述した如く、支持部材をシート部の他縁側へ引き抜く際、使用者が紐部材を把持して当該操作を行うことができ、支持部材の引き抜き操作を無理なく容易に実施することができる。
【００２８】
また、基体の他側縁には、シート部材を２重にしてなり前記フィルムを挟持する挟持部が設けてあり、該挟持部には前記フィルムを貫通して固定する１又は複数の固定部が設けてある。前述したように、湿布剤のシート部の一縁部分の薬層部をフィルムから剥離し、フィルムの薬層部が剥離された部分を支持部材にて固定させる場合、フィルムの薬層部が剥離された部分を前記支持部材の挟持部に挟持させる際に、当該フィルムを固定部にて固定させる。これによって、フィルムを確実に固定することができる。
【００２９】
（８）本発明に係る貼付具は、前記本体は、前記支持部材を載置する平面状の表層と、該表層上に載置された支持部材を挟持する一対の枠部材とを具備し、前記表層は弾性材を成形してなる弾性層に担持されており、該弾性層はその内部に配設した芯部によって支持されており、該芯部から前記把持部が延設してあることを特徴とする。
【００３０】
本発明の貼付具にあっては、前述した補助部材の本体は、支持部材を載置する平面状の表層と、該表層上に載置された支持部材を挟持する一対の枠部材とを具備する。支持部材を構成するシート状の基体を補助部材の表層上に載置し、一対の枠部材にて挟持する。これによって、シート状の基体に支持された湿布剤に皺等が生じることが防止される一方、縦方向又は横方向等、いずれの方向であっても、湿布剤及び支持部材を保持することができる。
【００３１】
また、前記表層は弾性材を成形してなる弾性層に担持されており、支持部材にて支持された湿布剤を、使用者の背中と適宜の固定面との間に挟持して、湿布剤のシート部に押圧を印加することによって、使用者が自身に貼付する場合であっても、湿布剤をしっかり貼付することができる。このとき、湿布剤及び支持部材を載置する表層は弾性材を成形してなる弾性層に担持されているため、湿布剤及び支持部材の全面に押圧を印加することができ、皺等を生じさせることなく確実に湿布剤を使用者の背中に貼付することができる。
【００３２】
一方、前述した弾性層はその内部に配設した芯部によって支持されており、芯部から把持部が延設してある。これによって、弾性部材を用いてなる本体の姿勢を維持して、使用者の背中の任意の位置に本体を移動させることができる。
【図面の簡単な説明】
【００３３】
【図１】本発明に係る湿布剤を示す平面図である。
【図２】図１に示した湿布剤のＩＩ−ＩＩ線による断面図である。
【図３】図１及び図２に示した湿布剤の使用方法を説明する説明図である。
【図４】図１及び図２に示した湿布剤の使用方法を説明する説明図である。
【図５】図１及び図２に示した湿布剤の使用方法を説明する説明図である。
【図６】図１及び図２に示した湿布剤の他の使用方法を説明する説明図である。
【図７】発明を実施するための第２の形態に係る貼付具を示す正面図である。
【図８】発明を実施するための第２の形態に係る貼付具を示す背面図である。
【図９】図７に示した支持部材の斜視図である。
【図１０】図７に示した補助部材のＸ−Ｘ線による断面図である。
【図１１】図７から図１０に示した支持部材及び補助部材の使用方法を説明する説明図である。
【図１２】図７から図１０に示した支持部材及び補助部材の使用方法を説明する説明図である。
【図１３】図７から図１０に示した支持部材及び補助部材の使用方法を説明する説明図である。
【図１４】特許文献１に開示された貼付具の斜視図である。
【発明を実施するための形態】
【００３４】
本発明に係る湿布剤の貼付方法、並びに当該方法の実施に適用させた湿布剤及び当該方法の実施に用いる貼付具を図面に基づいて詳述する。なお、本実施の形態で説明する貼付方法、湿布剤及び貼付具は、本発明の趣旨を説明する一例であり、本発明はその趣旨を逸脱しない範囲での変形や改造を含むことはいうまでもない。
【００３５】
（発明を実施するための第１の形態）
図１は本発明に係る湿布剤を示す平面図であり、図中、２はリント布、不織布又は合成樹脂製シート等を成形したシート部である。また、図２は図１に示した湿布剤１のＩＩ−ＩＩ線による断面図であり、厚さ方法を拡大してある。
【００３６】
図１及び図２に示したように、湿布剤１は長方形状に成形したシート部２を備えている。ここで、本実施の形態では、シート部２は長方形状に成形した場合を示したが、本発明はこれに限らず適宜の形状に成形してよい。シート部２の一面には、ジクロフェナクナトリウム、ケトプロフェン、インドメタシン、サリチル酸グリコール、l-メントール、dl-カンフル、グリチルレチン酸、トウガラシエキス、生薬エキス等にて構成される抗炎症薬、鎮痛薬又は血行促進薬等の１種類又は複数種類を含む湿布薬を、その略全面に塗布して薬層部３が形成してあり、薬層部３の表面はその全面を合成樹脂製のフィルム４で被覆してある。なお、本湿布剤１にはパップ剤及びテープ剤のいずれも含まれる。
【００３７】
フィルム４の一短辺の縁部には、当該フィルム４を後述する支持部材に貼着させるための帯状の貼着部５が当該縁部の略全領域に亘って設けてあり、貼着部５の表面はその全面を、意図しない貼着を防止するための防止フィルム６で覆ってある。ここで、貼着部５は例えば、両面テープで構成することができるが、前記フィルム４の適宜領域に貼着剤を直接塗布して貼着部５とし、その後に当該貼着部５の表面を防止フィルム６で覆うようにしてもよい。また、貼着部５は、当該貼着部５を後述する支持部材に貼着させたときに、当該湿布剤１を支持し得る面積になしてある。かかる貼着部５は帯状以外に、縞状又は島状等、適宜の形状になすことができる。
【００３８】
次に、かかる湿布剤１を貼付する方法について説明する。
【００３９】
図３から図６は、図１及び図２に示した湿布剤１の使用方法を説明する説明図である。なお、これらの図中、図１及び図２に示した部分に対応する部分には同じ番号が付してある。
【００４０】
図３（ａ）に示したように、例えば、シート部２が下側になるように湿布剤１を配置し、当該湿布剤１の防止フィルム６を除去する。一方、表面が平滑な板材、厚紙又は封筒等、湿布剤１の寸法より大きい寸法であり、所要の支持強度と表面平滑性とを有する支持部材Ｆを予め準備しておく。ここで市販の湿布剤にあっては、シート部の寸法が１０ｃｍ×１４ｃｍの場合が多いので、例えば長形３号（１２５ｍｍ×２３５ｍｍ）の封筒を支持部材Ｆとすることができる。
【００４１】
次に、図３（ｂ）に示したように、支持部材Ｆの短辺側の一縁部を湿布剤１の貼着部５上に重畳させ、支持部材Ｆの縁部を貼着部５に押し付けることによって両者を貼着させる。次に、図４（ｃ）に示したように、湿布剤１のこの貼着領域のシート部２及び薬層部３をフィルム４から脱離させるとともに、図４（ｄ）に示したように、支持部材Ｆの縁を中心線にして、当該支持部材Ｆを線対象となるように反転させることによって、湿布剤１の一短辺の縁部付近をシート部２の内側へ折り曲げ、前述した貼着領域に対応する部分の薬層部３を露出させる。
【００４２】
このとき、フィルム４の対応する縁部は貼着部５によって支持部材Ｆに貼着されているため、貼着領域のシート部２及び薬層部３をフィルム４から脱離させる操作を容易・確実に実施することができる。一方、フィルム４は貼着領域において湿布剤１のシート部２に塗布された薬層部３から脱離されるものの、当該フィルム４はその大部分の領域がシート部２に塗布された薬層部３に密着しており、当該フィルム４によってシート部２及び薬層部３を支持することができる。また、貼着領域において、フィルム４の縁部は貼着部５によって支持部材Ｆに貼着固定されている。従って、この状態で支持部材Ｆを持ち上げた場合、湿布剤１に皺又はよれ等が発生することなく、当該湿布剤１を持ち上げることができる。
【００４３】
次に、図５（ｅ）に示したように、使用者Ｈは湿布剤１の貼着領域が自身の背中側に対向するように支持部材Ｆの短辺側の他縁部を把持して、当該支持部材Ｆに支持された湿布剤１を自身の背中の所要位置に、湿布剤１が横向きになるように配置させ、その状態で、例えば自身の背中を壁Ｗといった固定面に押し付けることによって、支持部材Ｆ及び湿布剤１を自身の背中に当接させ、貼着領域に対応して露出させた薬層部３を自身の背中に貼付させる。
【００４４】
そして、図５（ｆ）に示したように、使用者Ｈが支持部材Ｆを貼着領域と反対側の横方向へゆっくりと引き抜く。前述したようにフィルム４の縁部は貼着部５によって支持部材Ｆに貼着固定されているので、引き抜かれる支持部材Ｆとともにフィルム４が、湿布剤１のシート部２に塗布された薬層部３の全面から除去され、薬層部３のフィルム４が除去された部分が使用者Ｈの背中に貼付される。
【００４５】
これによって、使用者Ｈが自身の背中に貼付する際に、皺又はよれ等が生じることなく湿布剤１を貼付することができる。
【００４６】
なお、前述した図３及び図４の（ａ）〜（ｄ）までの操作を同じ操作を実施して支持部材Ｆに湿布剤１を支持させた後、図６に示したように、使用者Ｈが支持部材Ｆの一長辺側の縁部を把持して、当該支持部材Ｆに支持された湿布剤１を自身の背中の所要位置に、湿布剤１が縦向きになるように配置させ、前同様に、貼着領域に対応して露出させた薬層部３を自身の背中に貼付させた後、使用者Ｈが支持部材Ｆを貼着領域と反対側の縦方向へゆっくりと引き抜くことによって、湿布剤１を縦方向に貼付することもできる。このように、本湿布剤１にあっては使用者Ｈが自身の背中に貼付する場合、縦方向及び横方向のいずれも容易に貼付することができる。
【００４７】
なお、図５（ｅ）に示したように、湿布剤１を支持した支持部材Ｆは使用者Ｈの背中と例えば壁Ｗといった固定面との間に挟持され、この状態で支持部材Ｆが引き抜かれるため、支持部材Ｆは平滑な表面を有する材料を用いるとよい。ここで、支持部材Ｆとして樹脂製の板材を用いると、表面が平滑である上に、湿布剤１に設けた貼着部５を比較的容易に脱離させることができ、これによって複数回使用することができるため好適である。
【００４８】
ところで、湿布剤１のフィルム４は、薬層部３上を一体的に被覆するようになしてもよいし、分割したフィルム４であってもよい。後者の場合、フィルム４の分割された各部分を粘着テープ等を用いて互いに連結させておくとよい。
【００４９】
ところで、以上詳述したことより、本実施の形態は以下の発明も包含している。
すなわち、（９）前述した（４）又は（５）に記載の湿布剤を使用する方法であって、前記フィルムの貼着部を適当な支持強度を有する平板状の支持部材に貼着させ、前記シート部の一縁部分の薬層部をフィルムから剥離する一方、当該シート部の一縁部分又は当該一縁部分以外の部分を折り返して、当該一縁部分の薬層部を露出させ、その状態で、支持部材にて支持された湿布剤を使用者の背中の適宜位置に配置し、薬層部の露出された部分を使用者の背中に貼付させ、その後に、支持部材を引き抜くことによって、全フィルムを薬層部上から剥離しつつ、薬層部の残りの部分を使用者の背中に貼付させることを特徴とする湿布剤の使用方法。
【００５０】
（１０）前記フィルムの貼着部を適当な支持強度を有する平板状の支持部材に貼着させ、前記シート部の一縁部分の薬層部をフィルムから剥離する一方、前記シート部の一縁部分以外の部分を前記支持部材の他面側へ折り返して、当該一縁部分の薬層部を露出させ、薬層部の露出された部分を使用者の背中に貼付させた後、支持部材をシート部の他縁側へ引き抜く前記（９）記載の湿布剤の使用方法。
【００５１】
（１１）支持部材にて支持された湿布剤を、使用者の背中と適宜の固定面との間に挟持して、湿布剤のシート部に押圧を印加する前記（９）又は（１０）記載の湿布剤の使用方法。
【００５２】
（発明を実施するための第２の形態）
図７及び図８は、発明を実施するための第２の形態に係る貼付具を示す正面図及び背面図であり、市販の湿布剤をそのまま用いて、使用者が自身の背中に貼付し得るようになっている。
【００５３】
本貼付具１０は、湿布剤を支持する支持部材２０と、湿布剤を支持した支持部材２０を所定の姿勢に保持して、当該湿布剤の貼付を補助する補助部材３０とから構成されている。支持部材２０は不織布又はフェルト布等、滑りが良好な表裏面を有する可撓性材料で構成した基体２１を備えており、基体２１は支持する湿布剤の外寸より一回り大きい外寸になしてある。本実施の形態では後述するように長方形状の湿布剤を用いる場合について示すため、支持部材２０の基体２１も略長方形になしてある。
【００５４】
この基体２１の一短辺の縁部であって長さ方向の略中央の位置には、当該支持部材２０の基体２１を貫通する貫通孔２６が開設してあり、基体２１にはその一端を前記貫通孔２６に挿通させた紐部材２７が固定してある。なお、基体２１に貫通孔２６を開設することなく、紐部材２７を基体２１に固定してもよい。
【００５５】
一方、基体２１の他短辺の縁部は両角部を除去してあり、また、当該縁部は次のように可撓性材料を二重に構成してある。
【００５６】
図９は図７に示した支持部材２０の斜視図である。なお、図中、図７に示した部分に対応する部分には同じ番号を付してある。図９に示したように、基体２１の紐部材２７を固定した一短辺とは逆側の他短辺の縁部には、当該短辺の全領域に亘って可撓性材料を二重になし、二重の部分であって基体２１の一短辺側の部分を閉じることによって開閉自在になした挟持部２２が形成してあり、該挟持部２２を構成する片部２３，２３の内面の適宜位置にはそれぞれ、後述するように湿布剤のフィルムの縁部を固定するための複数（図９に示した支持部材２０にあっては２つ）の固定部２５，２５が相互に距離を隔てて取り付けてある。
【００５７】
ここで、固定部２５，２５としてはスタッド（雄）をソケット（雌）内に嵌合させるスナップボタンを用いることができるが、これに限らず、凹部と該凹部に嵌合する凸部との組み合わせ、又は孔と該孔に嵌合する凸部との組み合わせ等、雌と雄との間に湿布剤のフィルムを挟持し、雄と雌とを嵌合させることによって当該フィルムを貫通させ、フィルムを雌雄間に固定し得る部材であれば種々適用することができる。
【００５８】
ところで、図７及び図８に示した如く、補助部材３０は正面視が長方形状の本体３１を備えている。本体３１の正面の幅寸法は前述した支持部材２０の基体２１の幅寸法と略同じにしてあり、本体３１の正面の長さ寸法は支持部材２０の基体２１の長さ寸法より少し長くしてある。
【００５９】
図１０は図７に示した補助部材３０のＸ−Ｘ線による断面図である。図１０に示したように、本体３１は、木材・樹脂材・金属材等、所要の強度を有する材料を単独で、又は適宜組み合わせて形成した平板状の芯部３４を内蔵しており、芯部３４の一側から把持部３８が延設してある。また、芯部３４の両面には、例えばスポンジといった弾性材を厚板状に形成してなる弾性層３３が配設してあり、該弾性層３３は芯部３４によって支持されている。
【００６０】
ここで、本実施の形態では平板状の芯部３４を設けた場合について示したが、本発明はこれに限らず、網状、環状、帯状、二股状等々、弾性層３３を支持し得る構造であれば適宜適用することができる。
【００６１】
補助部材３０の正面となる弾性層３３の表面には例えば合成皮革というように、適宜のしなやかさ、強度及び平滑性を有する材料を用いてなる表層３２がその略全面に展設してあり、後述するように表層３２上に載置される支持部材２０及び湿布剤５１（共に図１１参照）に押圧が印加された状態で、支持部材２０を容易に引き出し得るようになっている。また、本体３１の底面には樹脂材・金属材・木材等、所要の強度を有する板状の裏層３５がその略全面に固定してあり、後述する如く補助部材３０を壁等の固定面に押し付ける場合、補助部材３０の裏層３５が当該固定面に均一に当接し得るようになっている。
【００６２】
また、図７及び図１０に示したように本体３１の長辺側の両側面であって、当該長辺の長手方向の略中央の位置にはそれぞれ、断面視が倒立Ｌ字状の枠部３６，３６が互いに向かい合った姿勢で、両枠部３６，３６の頭部が前記表層３２から所定寸法だけ突出するように固着してあり、これによって枠部３６，３６の頭部と表層３２との間に、支持部材２０の両側縁部を嵌入させる溝部３７，３７が形成されている。
【００６３】
次に、かかる支持部材２０及び補助部材３０を用いて従来の湿布剤を貼付する方法について説明する。
【００６４】
図１１から図１３は、図７から図１０に示した支持部材２０及び補助部材３０の使用方法を説明する説明図であり、これらの図にて、支持部材２０及び補助部材３０を用いて湿布剤を貼付する方法を説明する。なお、図１１から図１３中、図７から図１０に示した部分に対応する部分には同じ番号が付してある。
【００６５】
図１１（ａ）に示したように、湿布剤５１は長方形状のシート部５２の一面に薬層部５３を設け、この薬層部５３上をフィルム５４で被覆して構成されており、例えば、シート部５２を上側にした湿布剤５１の一短辺と支持部材２０の挟持部２２とが対向するように配置し、湿布剤５１の一短辺縁部のシート部５２をフィルム５４から剥離させる。このとき、支持部材２０の挟持部２２は予め両片部２３，２３を開いてあり、フィルム５４のシート部５２が剥離された部分を両片部２３，２３間に挿入させ、その状態で両片部２３，２３を閉じて各固定部２５，２５の雌雄を互いに嵌合させてフィルム５４の縁部をそこに固定する。なお、湿布剤５１にはパップ剤及びテープ剤のいずれも含まれる。
【００６６】
この状態で、湿布剤５１のフィルム５４の残りの部分と、図１１（ａ）に示した場合にあっては、支持部材２０の基体２１の裏面側とが互いに当接するように、支持部材２０と湿布剤５１とを折り曲げて、図１１（ｂ）に示したように、支持部材２０の基体２１と湿布剤５１とを重畳させる。このとき、図１１（ｂ）に示したように、湿布剤５１のシート部５２のフィルム５４が剥離された部分は支持部材２０の基体２１の縁部から外方へ突出しており、当該部分の薬層部５３はフィルム５４が剥離されて外部に露出した状態になっている。
【００６７】
次に、図１２（ｃ）に示したように、湿布剤５１を重畳させた支持部材２０を補助部材３０の表層３２上に、湿布剤５１が表層３２に当接するように取り付ける。このとき、支持部材２０及び湿布剤５１の長辺側両縁部はそれぞれ、前述した枠部３６，３６の溝部３７，３７（図１０参照）内に嵌入させてある。これによって、支持部材２０及び湿布剤５１が補助部材３０の表層３２上に固定されるため、使用者が把持部３８を把持して補助部材３０を持ち上げ、当該補助部材３０を種々の方向の姿勢になした場合であっても、補助部材３０から支持部材２０及び湿布剤５１が脱落することが防止される。一方、湿布剤５１のシート部５２のフィルム５４が剥離された部分は、補助部材３０の表層３２とは反対側にあって、当該部分の薬層部５３は露出しており、支持部材２０の基体２１の前記部分とは反対側から紐部材２７が延設してある。
【００６８】
このようにして湿布剤５１を重畳させた支持部材２０を補助部材３０の枠部３６，３６に取り付けると、図１２（ｄ）に示したように、使用者Ｈは、補助部材３０の把持部３８を把持して、補助部材３０を自身の背中へ配置し、湿布剤５１のシート部５２のフィルム５４が剥離された部分が背中の所要位置になるように調整し、その状態で補助部材３０の本体３１を、壁、柱又はタンス等、適宜の固定面に押し付ける。本体３１に印加された押圧は湿布剤５１のシート部５２に伝えられ、シート部５２のフィルム５４が剥離された部分の薬層部５３が使用者Ｈの背中の所要位置に貼付される。ここで、補助部材３０の本体３１は表層３２を弾性部３３で担持して構成してあるため、補助部材３０の本体３１を固定面に押し付けた場合であっても、使用者Ｈの背中には過度な押圧が印加されることが回避される一方、湿布剤５１のシート部５２の全面に略均一な押圧を印加することができる。
【００６９】
この状態で、図１３（ｅ）に示したように、使用者Ｈは支持部材２０の基体２１に固定された紐部材２７を把持し、当該紐部材２７を補助部材３０の把持部３８とは逆の方向へ引く。紐部材２７が当該方向へ引かれると、図１３（ｆ）に示したように、該紐部材２７が固定された支持部材２０の基体２１が、補助部材３０の本体３１と前述した固定面との間から引き抜かれ、当該基体２１の挟持部２２に固定された湿布剤５１のフィルム５４が湿布剤５１のシート部５２上の薬層部５３の全領域から除去され、使用者Ｈの背中の所要位置に湿布剤５１が貼付される。
【００７０】
このとき、支持部材２０の基体２１は、不織布又はフェルト布等、滑りが良好な表裏面を有する可撓性材料で構成してあるため、補助部材３０の本体３１と固定面との間から円滑に引き抜くことができる。
【００７１】
このような貼付具１０にあっては、使用者Ｈが自身の背中に湿布剤５１を貼付する場合であっても、皺が生じることなく湿布剤を貼付することができ、また縦方向及び横方向のいずれも容易に貼付することができる。
【００７２】
なお、図１０から図１３にあっては、補助部材３０の本体３１を横にした場合について説明したが、補助部材３０の本体３１を縦にしても前同様の操作で湿布剤を使用者の背中に貼付することができる。この場合、補助部材３０の把持部３８をＬ字状になしておくと、使用者Ｈが無理なく本体３１を縦にして背中の所要位置に移動させることができる。また、この場合、紐部材２７の寸法をより長くしておき、使用者Ｈの肩口から胸部へ掛け回すようにするとよい。
【００７３】
なお、湿布剤５１のフィルム５４は、薬層部５３上を一体的に被覆するようになしてもよいし、分割させたフィルム５４であってもよい。後者の場合、フィルム５４の分割された各部分を粘着テープ等を用いて互いに連結させておくとよい。
【００７４】
以上詳述したことより、本実施の形態は以下の発明も包含している。
すなわち、（１２）前述した（６）から（８）のいずれかに記載の貼付具を使用する方法であって、前記シート部の一縁部分の薬層部をフィルムから剥離し、フィルムの薬層部が剥離された部分を前記支持部材の挟持部に挟持させて前記固定部にて固定させ、このシート部の一縁部分以外の部分を折り返して、シート部を支持部材の基体に当接させる一方、当該一縁部分の薬層部を露出させ、その状態で、湿布剤及び支持部材を前記補助部材に保持させ、この補助部材を用いて、支持部材にて支持された湿布剤を使用者の背中の適宜位置に配置し、薬層部の露出された部分を使用者の背中に貼付させ、その後に、支持部材をシート部の他縁側へ引き抜くことによって、全フィルムを薬層部上から剥離しつつ、薬層部の残りの部分を使用者の背中に貼付させることを特徴とする貼付具の使用方法。
【００７５】
（１３）支持部材にて支持された湿布剤を保持した前記補助部材を、使用者の背中と適宜の固定面との間に挟持して、湿布剤のシート部に押圧を印加する前記（１２）記載の貼付具の使用方法。
【符号の説明】
【００７６】
１    湿布剤
２    シート部
３    薬層部
４    フィルム
５    貼着部
６    防止フィルム
１０    貼付具
２０    支持部材
２１    基体
２２    挟持部
２５    固定部
３０    補助部材
３１    本体
３２    表層
３３    弾性層
３４    芯部
３８    把持部
５１    湿布剤
５２    シート部
５３    薬層部
５４    フィルム
Ｈ    使用者
Ｆ    支持部材
【図１】
2018161445.tif 000003
【図２】
2018161445.tif 000004
【図３】
2018161445.tif 000005
【図４】
2018161445.tif 000006
【図５】
2018161445.tif 000007
【図６】
2018161445.tif 000008
【図７】
2018161445.tif 000009
【図８】
2018161445.tif 000010
【図９】
2018161445.tif 000011
【図１０】
2018161445.tif 000012
【図１１】
2018161445.tif 000013
【図１２】
2018161445.tif 000014
【図１３】
2018161445.tif 000015
【図１４】
2018161445.tif 000016